(57)【要約】      （修正有）【課題】避難者に対して避難場所への経路を明示して避難者の避難に係わる不安を軽減できる避難誘導システムを提供する。【解決手段】避難経路誘導に沿って案内サイン１、方向指示サイン２、路面サイン３といった誘導サインが複数設置されて避難場所Ｐへの誘導拠点となることで、避難者に対して避難経路を明示して避難者の避難に係わる不安を軽減することができ、また各々が太陽電池及び電源装置を備えて太陽電池により生起された電力のみにより発光できるから、夜間に災害が起こって停電となった場合でも確実な発光により避難者を誘導することができる。【選択図】図１
2005234768.tif 000002
【特許請求の範囲】
【請求項１】
案内サイン、方向指示サイン、路面サインの内、いずれか少なくとも１種類を誘導サインとして備え、該誘導サインは発光により誘導を行うものであると共に、各々が太陽電池及び電源装置を備えて該太陽電池により生起された電力のみにより発光できるようになされ、該誘導サインが避難経路に沿って誘導拠点として複数設置されていることを特徴とする避難誘導システム。
【請求項２】
前記誘導サインは、各々感震センサーを備え、該各々の感震センサーは一定のしきい値が設定され、該しきい値以上の震度を検知したときに各々の誘導サインが誘導に係わる発光を行うことを特徴とする請求項１に記載の避難誘導システム。
【請求項３】
前記誘導サインは、更に通常の夜間に発光により情報及び／又は存在を表示する平常時発光体を備え、災害発生時に前記平常時発光体を消灯させるものであることを特徴とする請求項１又は２に記載の避難誘導システム。
【請求項４】
前記誘導サインは、太陽電池、電源装置及び発光部がユニット化され着脱可能となされた照明装置により発光されることを特徴とする請求項１〜３のいずれかに記載の避難誘導システム。
【発明の詳細な説明】
【技術分野】
【０００１】
本発明は、地震や水害などの災害時において、避難者に対して避難路を的確に示して誘導する避難誘導システムに関するものである。
【背景技術】
【０００２】
災害時に、避難者を安全且つ確実に避難場所まで誘導することは、災害による被害を最小限に食い止めるために極めて重要な事項である。しかし、夜間に災害が発生し停電が起こった場合には、平常時の照明装置は殆ど役に立たないものとなり、暗闇と相俟ってパニック状態が発生する恐れがあることから、外部電源に頼らない避難誘導装置が求められてきている。
【０００３】
かかる要求に対して、例えば特許文献１において、路側或いは道路に面して設置される案内標識に於いて、扁平状筐体の標識の上部又は側面又は裏面に太陽電池部を取り付け、表面に表示機能を有する面入射発光装置を組み合わせた導光板部を置き、太陽電池のための電気二重層コンデンサ及び発光・消光等の制御部を内蔵したことを特徴とする全天候型案内標識が開示されている。
【０００４】
一方、特許文献２には、太陽電池と、該太陽電池にて発電された電力を貯える蓄電池と、明暗を感知し暗状態の時のみＯＮする明暗スイッチと、該スイッチを介して上記蓄電池に連なった装飾発光体と、非常事態発生時にＯＮする非常時スイッチと、該非常時スイッチを介して連なった非常時発光体とを備えた非常用誘導灯が開示されている。
【０００５】
【特許文献１】特開平１１−２９６１１４号公報
【特許文献２】特開平４−３０９１９８号公報
【発明の開示】
【発明が解決しようとする課題】
【０００６】
しかしながら、特許文献１又は２に記載の案内標識や非常用誘導灯を用いた場合、避難する方向は判断できるものの、避難経路を把握して避難場所へ至るまでにどの程度の経路の曲折や距離があるかは判りにくく、避難者の避難に係わる不安は十分に解消されない場合がある。
【０００７】
本発明は上記の如き課題に鑑みてなされたものであり、避難者に対して避難場所への経路を明示して避難者の避難に係わる不安を軽減できる避難誘導システムを提供せんとするものである。
【課題を解決するための手段】
【０００８】
上記目的を達成するため、本発明は以下のような構成としている。すなわち、本発明に係わる避難誘導システムは、案内サイン、方向指示サイン、路面サインの内、いずれか少なくとも１種類を誘導サインとして備え、該誘導サインは発光により誘導を行うものであると共に、各々が太陽電池及び電源装置を備えて該太陽電池により生起された電力のみにより発光できるようになされ、該誘導サインが避難経路に沿って誘導拠点として複数設置されていることを特徴とするものである。
【０００９】
また前記誘導サインは、各々感震センサーを備え、該各々の感震センサーは一定のしきい値が設定され、該しきい値以上の震度を検知したときに各々の誘導サインが誘導に係わる発光を行うことを特徴とするものである。
【００１０】
また前記誘導サインは、更に通常の夜間に発光により情報及び／又は存在を表示する平常時発光体を備え、前記感震センサーがしきい値以上の震度を検知したときに前記平常時発光体を消灯させるものであることを特徴とするものである。
【００１１】
また前記誘導サインは、太陽電池、電源装置及び発光部がユニット化され着脱可能となされた照明装置により発光されることを特徴とするものである。
【発明の効果】
【００１２】
請求項１に記載の本発明に係わる避難誘導システムによれば、避難経路誘導に沿って誘導サインが複数設置されて誘導拠点となることで、避難者に対して避難経路を明示して避難者の避難に係わる不安を軽減することができ、また各々が太陽電池及び電源装置を備えて太陽電池により生起された電力のみにより発光できるから、夜間に災害が起こって停電となった場合でも確実な発光により避難者を誘導することができる。
【００１３】
また請求項２の発明によれば、複数の誘導サイン各々に備えられた感震センサーが一定のしきい値以上の震度を検知した場合に誘導サインが発光することで、一定震度以上の地震の発生時に避難経路に設置された複数の誘導サインが一斉に発光を開始して誘導経路全体を明示することができ好ましい。
【００１４】
また請求項３の発明によれば、平常時発光体により通常の夜間においては情報提供を行うことができ、地震発生時にのみ平常時発光体を消灯してその電力を誘導に係わる発光に用いることができ、避難誘導の機能の保持を長時間とすることができ好ましい。
【００１５】
また請求項４の発明によれば、照明装置がユニット化され着脱可能となされていることで、既設のサインに対しても照明装置により誘導に係わる発光をさせることが可能となり好ましい。
【発明を実施するための最良の形態】
【００１６】
本発明に係わる最良の実施の形態について、図面に基づき以下に具体的に説明する。
図１は、本発明に係わる避難誘導システムの、実施の一形態を示す説明図である。本実施形態においては、案内サイン１を起点として避難場所Ｐまでの誘導を行うものであるが、地震や水害等の災害発生時に停電が起こった場合、自宅から避難場所Ｐに避難するにおいて、まず自宅の近くの案内サイン１を視認して、案内サイン１が設けられた現在地及び避難場所Ｐの位置、及び避難場所Ｐまでの大凡の経路を案内サイン１の記載内容から把握する。案内サイン１から避難場所Ｐへの避難経路に沿っては、発光する方向指示サイン２や路面サイン３が連続して設置され、方向指示サイン２や路面サイン３が発光により避難経路の誘導を行うことで、避難者は迷うことなく、また夜間においても不安を感じることが少なくして避難場所Ｐへの避難を行うことができる。
【００１７】
図２及び図３は、案内サイン１の一例を示す説明図である。案内サイン１は、周辺の地図を含めた避難経路を表示している案内板１１と、情報板の左右に設けられ、案内サイン１全体を支持する二本の支脚１２と、案内板１１の位置表示を指示する制御盤１３と、案内板１１を照明して発光させる照明装置１４と、支脚１２の上端に取り付けられ、発光に係わる電力を生起する太陽電池パネル１５とを備えるものである。照明装置１４は発光部１４１が備えられると共に、その両側面には案内サイン１であることを示すピクト１４２が取り付けられ、更に照明装置１４の上側には、災害時に点灯する回転灯１４３が取り付けられている。案内板１１は照明装置１４により照明されて発光するのみでも夜間においてその記載内容が視認できるようになるが、案内サイン１が設置された現在地及び避難場所Ｐを発光により表示するものとしてもよく、また案内板１１上の現在地から避難場所Ｐに至る避難経路に発光体を連設して避難経路を発光により示すものとしてもよい。
【００１８】
ここで支脚１２は、案内板１１方向に向かって縦長となされており、図３のイ）は案内サイン１の側面図であるが、側方からは比較的低い位置に配置された案内板１１及び制御盤１３が隠されており、周囲を通行する歩行者や自転車が案内板１１及び制御盤１３の端部に接触しにくいようになされている。また比較的高い位置に配置された照明装置１４は支脚１２から前面側に突出されて、発光部１４１の照明効果が高められると共に、ピクト１４２が周囲から明りょうに視認できるようになされている。設置された路面から照明装置１４の下端までの高さは、歩行者や自転車、あるいは避難者が接触しないよう、２ｍ前後か、それより高い位置にしておくのが好ましい。
【００１９】
図３のロ）は、図２のＡ−Ａ断面図を示すものであるが、制御盤１３内には案内板１１の発光部と連動するボタン１３１と、発光を制御する制御装置１３２と、地震の発生を検知する感震センサー１６が収納されている。案内板１１については、制御装置１３２により発光される発光体１１１が設けられており、更には蓄電池及び電力の供給に係わる機器類を備えた電源装置１６が内蔵されている。電源装置１７は太陽電池パネル１５と、案内サイン１に備えられ電力を使用する照明装置１４、発光体１１１、制御部１３２等の機器類と接続され、太陽電池パネル１５が太陽光を受光することで生起した電力を蓄電池により蓄電し、夜間において上述の電力を使用する機器類に電力を供給するが、電源装置１７には更に感震センサー１６が接続され、感震センサー１６が設定されたしきい値以上の地震を検知した場合に発生する信号に基づいて電力供給の制御を行うようになされている。
【００２０】
図４は、案内サイン１の夜間の平常時及び災害時における電源装置による動作の一例を示すブロック図である。平常時には、照明装置１４により案内板１１が照明され、また制御盤１３のボタン１３１による入力に応じて案内板１１に設けられた平常時用の発光部１１１Ａが発光するようになされている。感震センサー１６がしきい値以上の地震を検知して電源装置１７に信号を送信すると、電源装置１７は照明装置１４への電力を引き続き供給すると共に、案内板１１に設けられ、現在地から避難場所Ｐへの経路を表示する災害時用の発光部１１１Ｂに電力を供給して発光させることで、災害発生時に即座に避難経路を明示させることができる。
【００２１】
本実施形態においては、感震センサー１６を用いて地震発生時における避難誘導を行う場合を示しているが、適用可能な災害は地震に限定されるものではなく、水位センサーや降雨計等を用いて洪水などの水害に適用したり、変位計等を用いて地滑りや土砂崩れ、降雪計等を用いた雪崩などの雪害等、種々の災害の避難誘導に適用することができる。
【００２２】
図５は、方向指示サイン２の一例を示す説明図である。方向指示サイン２は支脚２２により全体が支持され、支脚２２の上方には避難場所Ｐの存在及びその方向を示す発光誘導板２１が設けられている。発光誘導板２１と共に、平常時に観光地等の案内を行う誘導板２３が支脚２２に取り付けられており、更に支脚２２の上端には、太陽電池パネル２４が取り付けられており、電源装置（図示せず）は太陽電池パネル２４の下方の制御箱２５に発光を制御する制御部及び感震センサー（図示せず）と共に収納されている。上述の案内サイン１と同様に、太陽電池パネル２４が太陽光を受光して電力を生起させ、その電力を電源装置により蓄電及び供給して、感震センサーが地震を検知した場合に発光誘導板２１が発光し、避難者の誘導を行う。
【００２３】
図６及び図７は、路面サイン３の一例を示すもので、図６は斜視図、図７は図６のＢ−Ｂ断面図である。まず図６において、路面サイン３は、透明な合成樹脂からなる上面板３１がゴム弾性体からなるパッキンＫを介して金属製の本体３２に取り付けられ、災害発生時に上面板３１から矢印３３が発光されることで避難経路が示される。上面板３１の上面には突起３４が設けられて警告ブロックと同じ外形となされ、更に上面板３１の下方には平常時に発光して路面サイン３の存在を示す平常時発光体３５が設けられている。
【００２４】
図７において、上面板３１の内部に向けて上面板３１内に嵌挿された非常時発光体３１１が光Ｌ１を入射するようになされており、上面板３１の裏面には矢印３３形状に発光がなされるようにＶ時のカッティング加工３１２が施されており、入射された光Ｌ１がカッティング加工３１２により上方に屈折されて、上方から発光する矢印３３が視認できるようになされている。上面板３１の下方には、太陽電池セル３７が配置され、透明な上面板３１を透過してきた太陽光が太陽電池セル３７に入射されることで電力が生起され、生起された電力は本体３２内に感震センサー３９と共に内蔵された電源装置３６に蓄電され、蓄電された電力は非常時発光体３１１及び平常時発光体３５に電力を供給されて路面サイン３の発光が行われる。
【００２５】
ここで、平常時発光体３５は、平常時においては上面板３１の下方に配置された明るさセンサー３８が一定以下の明るさとなったことを検知した場合に、電源装置３６に信号が送られて点滅発光等が開始されるが、地震が発生し、感震センサー３９がしきい値以上の地震を検知した場合に電源装置３６に信号が送信されて、電源装置３６は非常時発光体３１１を発光させる。非常時発光体３１１を発光させるにおいて、通常時発光体３５は発光を継続してもよいが、電源装置３６により非常時発光体３１１を発光させると共に、通常時発光体３５を消灯すれば、発光に係わる消費電力を節減して避難誘導の機能の保持を長時間とすることができるようになる。
【００２６】
図８及び図９は、本発明に係わる避難誘導システムに用いられる照明装置を示すもので、図８は照明装置の概要を示す説明図、図９は案内サインへの取り付けを示す説明図である。まず図８において、照明装置４は上方に太陽電池セルを備えた太陽電池パネル４２が、下方に蛍光管である発光部４１が配置されて一体となされ、発光部４１が発光することで発光部４１の下方が照明されるようになされている。太陽電池パネル４２には蓄電池、発光制御部等を内蔵した電源装置４３がケーブルＣを介して接続されている。電源装置４３は明るさセンサーを備え、一定以下の明るさとなった際に発光部４１に電力を供給して照明が行われるが、更に電源装置４３内に感震センサー（図示せず）が備えられて、当該感震センサーがしきい値以上の地震を検知した場合に電源装置４３により発光部４１が発光させたり、発光部４１の輝度を高めたりするものである。
【００２７】
照明装置４は、図９に示す如く案内サイン１に取り付けられる。照明装置４は発光部４１の背面側に設けられた取付手段（図示せず）を用いて案内サイン１の支脚１２に取り付けられ、電源装置４３は案内板１１又は支脚１２の背面側に金具等を用いて固定される。太陽電池パネル４２は発光部４１の外周方向に沿って回転可能となされており、取付時に角度を調整して太陽光の受光効率を最大限のものとすることが可能である。案内サイン１は、支脚１２に案内板１１が取り付けられたもので、特に照明装置等が設けられてない既設のものであるため、夜間の災害時に停電が起こって、周囲が暗闇になった場合には案内板１１に記載された表示内容は全く視認できなくなる。かかる案内サイン１の、案内板１１の上方の支脚１２に照明装置４を取り付けることで、照明装置４の下方、すなわち案内板１１が照明されて案内板１１の表示内容が視認できるようになる。案内板１１に避難場所までの避難経路が示しておくことで、照明装置４を取り付けることで既設のサインが災害時に高い避難誘導機能を具備した誘導サインとなり得る。
【００２８】
また照明装置４は、電源装置４３により周囲が一定以下の明るさとなった場合に発光部４１を発光させてもよいが、感震センサーがしきい値以上の地震を検知した場合などの災害の発生時のみに発光部４１を発光させるようにしてもよい。
【図面の簡単な説明】
【００２９】
【図１】本発明に係わる避難誘導システムの、実施の一形態を示す説明図である。
【図２】本発明に係わる避難誘導システムに用いられる案内サインの一例を示す説明図である。
【図３】図２のＡ−Ａ断面図である。
【図４】本発明に係わる誘導サインの、動作の一例を示すブロック図である。
【図５】本発明に係わる避難誘導システムに用いられる方向指示サインの一例を示す説明図である。
【図６】本発明に係わる避難誘導システムに用いられるサインの一例を示す説明図である。
【図７】図６のＢ−Ｂ断面図である。
【図８】本発明に係わる避難誘導システムに用いられる照明装置の一例を示す説明図である。
【図９】図８に示した照明装置の取り付けの一例を示す説明図である。
【符号の説明】
【００３０】
１    案内サイン
１４  照明装置
１４１  発光部
１５  太陽電池パネル
１６  感震センサー
１７  電源装置
２    方向指示サイン
２４  太陽電池パネル
３    路面サイン
３５  平常時発光体
３６  電源装置
３７  太陽電池セル
３９  感震センサー
４    照明装置
４１  発光部
４２  太陽電池パネル
４３  電源装置
Ｐ    避難場所
【図１】
2005234768.tif 000003
【図２】
2005234768.tif 000004
【図３】
2005234768.tif 000005
【図４】
2005234768.tif 000006
【図５】
2005234768.tif 000007
【図６】
2005234768.tif 000008
【図７】
2005234768.tif 000009
【図８】
2005234768.tif 000010
【図９】
2005234768.tif 000011